(57)【特許請求の範囲】
【請求項１】
エレベータの行先階や扉の開閉等の指令が登録される操作ボタンが配設された操作盤において、
前記操作ボタンのうち行先階の指令が登録される操作ボタンを除く任意の操作ボタンに、当該操作ボタンの機能を表す文字が表示されたボタン表面上の、前記文字の近傍に、前記文字の意を表し、漢字や数字や点字等の文字を除いた図形から成るシンボルが凸状物として設けられ、
１つの前記シンボルを構成する１つの凸状物若しくは、１つの前記シンボルを構成する２つの凸状物は、前記ボタン表面上における前記文字を中央にして相対する２つの位置に配設されたことを特徴とするエレベータの操作盤。
【発明の詳細な説明】
【０００１】
【発明の属する技術分野】
本発明は、エレベータの操作盤に関し、点字を判読できない視覚障害者でも、容易に操作することができるエレベータの操作盤に関する。
【０００２】
【従来の技術】
従来の操作盤には、エレベータの行先階や扉の開閉等の指令が登録される操作ボタンが配設されており、各操作ボタンには、当該操作ボタンの機能を表す文字が、例えば、行先階を示す「階」操作ボタンのボタン表面には、階数を表した「１」、「２」、「３」・・・等の数字が、又、エレベータの扉を開く「開」操作ボタンには「開」の漢字が、扉を閉じる「閉」操作ボタンには「閉」の漢字が、平面的に表示されているだけであった。
【０００３】
【発明が解決しようとする課題】
上記のように、文字だけが平面的に表されている操作ボタンは、視覚障害者には判読できず、選択することができない。
これを解決する手段として、特開平９−６２１８１号の公報に、操作ボタンにその機能を示す点字を付設することが提案されている。
しかし、点字を判読できるようになるまでには、少なからず学習期間が必要であるし、老齢化などによって視力が衰えた視覚障害者にとっては、点字を理解できないのが寧ろ一般である。
【０００４】
本発明は、点字を判読することができない視覚障害者でも、容易に操作できるエレベータの操作盤の提供を目的とする。
【０００５】
【課題を解決するための手段】
第１の発明は、エレベータの行先階や扉の開閉等の指令が登録される操作ボタンが配設された操作盤において、前記操作ボタンのうち行先階の指令が登録される操作ボタンを除く任意の操作ボタンに、当該操作ボタンの機能を表す文字が表示されたボタン表面上の、前記文字の近傍に、前記文字の意を表し、漢字や数字や点字等の文字を除いた図形から成るシンボルが凸状物として設けられ、１つの前記シンボルを構成する１つの凸状物若しくは、１つの前記シンボルを構成する２つの凸状物は、前記ボタン表面上における前記文字を中央にして相対する２つの位置に配設されたことを特徴とする。
【０００８】
【発明の実施の形態】
実施の形態１．
実施の形態１は、エレベータの行先階や扉の開閉等の指令が登録される操作ボタンが配設された操作盤において、前記操作ボタンのうち行先階の指令が登録される操作ボタンを除く任意の操作ボタンに、当該操作ボタンの機能が表わされたボタン表面上の文字の近傍に、当該文字の意を表したシンボルを凸状物として設けたものである。
これを図面に基づいて説明する。図１は操作盤の平面図、図２は「開」操作ボタンの平面図、図３は「開」操作ボタンの断面図、図４は「閉」操作ボタンの平面図である。
【０００９】
本明細書でいうシンボルとは、漢字や数字や点字等の文字を除いた図形をいう。又、凸状物は、このシンボルを立体化してボタン表面上に突設されるもので、触れてその存在を認識できるものであればよく、その具体的形態は限定されないが、シンボル化された対象を端的に認識させ得る形態であること、及び比較的狭いスペースに突設されることから単純な形態であることが好ましい。
【００１０】
図１に示す操作盤１１には、行先階の階数が表示された１０階分の「階」操作ボタン「１」・「２」・・・「１０」や、エレベータの扉(以下、扉ともいう)を開閉させる「開」の操作ボタン１２と「閉」の操作ボタン１３、及び扉の開放を延長させる「開延長」の操作ボタン１４等が配設されている。
【００１１】
上記の操作ボタンのうち、操作ボタン１２〜１４は、扉の開、閉、開放延長等の指令を登録するためのボタンであり、各々機能を表す所要の文字が当該操作ボタンのボタン表面に表されている。
例えば、操作ボタン１２〜１４には、触れるとバックライトが点灯して、文字が明示され、点灯によって明示された操作ボタンが選択されたボタンであることを確認できる。尚、操作ボタンは、このような所謂タッチボタンに限定されず、他のボタンであってもよい。
【００１２】
図２及び図３において、「開」操作ボタン１２を例にして説明する。
この「開」操作ボタン１２は、エレベータの扉(非図示)を開く際に操作、即ち手先で触れられるもので、「開」の文字を構成する字画のみが透光可能に形成された不透光な表示面部材１２１が、透光性基板１２２の上に重ねられており、操作ボタン１２が触れられると、図示されていない光源としてのバックライトが点灯して、「開」の文字がボタン表面、即ちこの例では表示面部材１２１の上面側に明示される構成となっている。尚、これらの構成は他の操作ボタンにおいても同様である。
【００１３】
上記「開」操作ボタン１２のボタン表面上の、「開」の文字の近傍には、この例ではボタン表面上の左上隅に、当該「開」の文字の意を表した図示のシンボル１２３がボタン表面から突出するよう凸状物として設けられている。このシンボル１２３が形成される位置は、これに限らず、任意の位置でよいが、相応する文字と密接な関係を示す必要上、当該文字の近傍に設けることが望ましい。
【００１４】
図４は、「閉」操作ボタン１３の平面図であり、これには、「閉」の文字の意を表した図示のシンボル１２３が設けられている。同様にして、「開延長」操作ボタン１４にも適宜なシンボルを設ければよい。
【００１５】
このようなシンボル１２３が凸状物として設けられる操作ボタンは、行先階の指令が登録される操作ボタン即ち「階」操作ボタンを除く全ての操作ボタンに、必ずしも設ける必要はなく、任意の操作ボタン、例えば、エレベータ操作に不可欠な基本的な機能を備えた操作ボタンに設ければよい。
この例では、上記のように、「開」、「閉」、「開延長」等の指令が登録される操作ボタンや、比較的画数の多いい、複雑な形の漢字がボタン表面に表されている操作ボタンについて設けるとよい。
この場合、ボタン表面に行先階の数字が表されている「階」操作ボタンには、上記のようなシンボル１２３が設けられないが、行先階の指令が登録される「階」操作ボタンは、一般に順序に従って配列されているから、手探りで所望の「階」操作ボタンを探すことになる。
【００１６】
上記のシンボル１２３として採用される図形は、万人がそれと認識できる図形であることが理想ではあるが、確実にそれと認識させ得る図形の案出は一般に困難であるから、できるだけそれと認識させ得る図形を案出し、採用する外はない。従って、エレベータ設置の際に使用者に、操作ボタンに設けられたシンボル１２３の意味即ち当該操作ボタンの機能の説明を要するであろうし、その説明を受けなかった使用者、特に、外来者においては、最寄りの人に尋ねるか、或いは、試行錯誤によって操作ボタンに設けられたシンボル１２３の意味を認識してもらう外はない。
【００１７】
何れにしても、一旦、シンボルと操作ボタンとの関係が認識されれば、凸状物として設けられたシンボルを手がかりとすることによって、点字を判別できない視覚障害者が、所望の操作ボタンを迅速且つ容易に選択することができる。
尚、階数の順序に従って配列された「階」操作ボタンは、一般に、一群を形成するように配設されているため、それらが「階」操作ボタンであることを、行先階表示盤上において感得することは比較的容易で、手探りで、「階」操作ボタンを順に探して行くことで、所望の行先階を認識し得る。この「階」操作ボタンについては実施の形態３において説明する。
【００１８】
この実施の形態１によれば、エレベータの扉の開閉や延長等の、階数を表す数字を除く文字がボタン表面に表された操作ボタンに、当該文字の意や当該操作ボタンの機能を表したシンボルを凸状物としてボタン表面上に形成することにより、この凸状物に、点字を判別できない視覚障害者が触れるだけで、当該操作ボタンの機能を容易に認識させることができ、迷わず所望の操作ボタンを迅速且つ容易に選択することができる。
【００１９】
実施の形態２．
実施の形態２は、上記実施の形態１において形成されるシンボルとしての凸状物に関し、１つのシンボルを構成する１つの凸状物２つを、若しくは、１つのシンボルを構成する２つの凸状物を、ボタン表面に表された文字を中央にして相対する２つの位置に配置したものである。これを図５乃至図７に基づいて説明する。図５は「開」操作ボタンの平面図、図６は「開」操作ボタンの断面図、図７は「閉」操作ボタンの平面図である。
【００２０】
図６の「開」操作ボタン１２においては、１つのシンボルを構成する２つの凸状物を分離して相対する位置に配置したものであり、操作ボタン１２の「開く」機能、或いは「開く」の意を表す１つのシンボルとして構成された２つの凸状物の三角形１２３Ａと三角形１２３Ｂとを、「開」の文字を中央にしてその左右に分け、互いの三角形の底辺が中央の底辺が中央の「閉」の文字に向くように配置している。
【００２１】
図７の「閉」操作ボタン１３においても、同様に、１つのシンボルを構成する２つの凸状物を分離して相対する位置に配置したものであり、操作ボタン１３の「閉」機能、或いは「閉」の意を表す１つのシンボルとして構成された２つの凸状物の三角形１２３Ｃと三角形１２３Ｄとを、「閉」の文字を中央にしてその左右に分け、互いの三角形の頂点が中央の「閉」の文字に向くように配置している。
【００２２】
この実施の形態２では、１つのシンボルを構成する２つの凸状物を２つに分離して２つの位置に配置した例を示したが、１つのシンボルとしての凸状物２つを２つの位置に分けて配置してもよい。
又、２つの凸状物が配置される位置は、必ずしも、ボタン表面に表された文字の左右方向のみならず、上下或いは対角線方向に離れた２つの位置に配置してもよい。
【００２３】
このようにして、少なくとも２つの凸状物（１２３Ａと１２３Ｂや１２３Ｃと１２３Ｄ）を、相応する文字を中央にしてボタン表面上の２つの位置に配置することにより、次のような効果を生ずる。
即ち、上記実施の形態１では、１つの操作ボタンにつき１つの凸状物が配置されているだけであるため、凸状物が設けられた操作ボタン同士が隣接していたり、密集状態で配置されていたりすると、当該凸状物がどの操作ボタンに属するものであるかを確かめようとする迷いが生じたり、確かめる所作を起したりする場合が生じ得る。
このような場合に、この実施の形態２のように、１つの操作ボタンにつき２つの凸状物がボタン表面の文字を中央にして相対する位置に配置にされていると、２つの凸状物の間を押し（触れ)さえすれば、所望の操作ボタンを選択したことになるので、上記実施の形態１に比べて、より一層、容易且つ迅速に所望の操作ボタンを選択することができる。
【００２４】
実施の形態３．
実施の形態３は、行先階の指令が登録される「階」操作ボタンに関するもので、一群の「階」操作ボタンのうち、基準階に相当する特定の「階」操作ボタンのボタン表面上に、上記実施の形態１の場合と同様に、当該操作ボタンが或る特定の「基準階」であることの意を表したシンボルを凸状物として設けたものである。
これを図８乃至図１１に基づいて説明する。図８は１階を示す「階」操作ボタンの平面図、図９はその断面図、図１０は１０階を示す「階」操作ボタンの平面図、図１１は２０階を示す「階」操作ボタンの平面図である。
【００２５】
ここで、基準階とは、例えば「１階」・「１０階」・「２０階」、或いは「１階」「５階」・「１０階」のように、多数配設された「階」操作ボタンの列や群に手先を触れて所望の階を数えながら探す際に、当該階の数え始めの階の目安とされる特定の階をいう。
【００２６】
図８及び図９で示す「階」操作ボタン１４は、この実施の形態３で基準階とする１階のボタンであり、当該操作ボタン１４の基本的構成は上記実施の形態１で説明した「開」操作ボタン１２と同様である。図中の符号１２３Ｅは、基準階としての１階である意を表したシンボルの凸状物として１本の小円柱を設けたものである。
【００２７】
図１０の「階」操作ボタン１５は、この実施の形態３で基準階とする１０階のボタンであり、図１１の「階」操作ボタン１６はこの実施の形態３で基準階とする２０階のボタンである。
シンボル１２３Ｆの凸状物では、基準階としての１０階である意を表す２本の小円柱を、又、シンボル１２３Ｇの凸状物では、基準階としての２０階である意を表わす３本の小円柱を設けている。
【００２８】
この実施の形態３では、基準階として１階・１０階・２０階と１０階毎に設定しているが、任意に、例えば５階毎に設定してもよい。
又、これら基準階のシンボルとしての凸状物を、小円柱としたり小円柱を複数組み合わせたりして設けているが、勿論これに限らず、四角柱でも、三角柱でも、或いは、四角錐でも三角錐でもよく、その具体的な形態は限定されない。
この実施の形態３におけるシンボル及び凸状物については、上記実施の形態１での説明と実質的に同様である。
【００２９】
この実施の形態３によれば、行先階の指令が登録される多数の「階」操作ボタンのうち、任意に特定された基準階に相応する操作ボタンに、その意を表すシンボルとしての凸状物をボタン表面上に設けることによって、点字を判別できない視覚障害者が、一旦、当該シンボルと操作ボタンとの関係を認識しさえすれば、所望の行先階に相当する「階」操作ボタンを、手探りで一つづつ順に探して行くよりも、迅速且つ確実に探し当てることができる。
又、この実施の形態３を上記実施の形態１や実施の形態２と共に、行先階表示盤に適用することにより、更に一層、エレベータの行先操作の時間を短縮させることができ、運転効率を向上させることができる。
【００３０】
【発明の効果】
第１の発明によれば、シンボルとしての凸状物を操作ボタンのボタン表面上に設けることによって、点字を判別できない視覚障害者が、当該操作ボタンの機能を容易に認識して、迅速且つ確実に所望の操作ボタンを選択することができる。
又、これにより、行先操作の時間を短縮することができ、エレベーターの運転効率を向上させることができる。
さらに、シンボルとしての凸状物を２つの位置に配置することによって、点字を判別できない視覚障害者が、確信を持って迅速且つ確実に所望の操作ボタンを選択することができる。
【００３２】
また、多数配設されている「階」操作ボタンのうち、特定の操作ボタンに、それが、特定の基準階であることを示すシンボルとしての凸状物を設けることによって、点字を判別できない視覚障害者が、容易且つ迅速に所望の「階」操作ボタンを探し当てることができる。
さらに、これにより、行先操作の時間を短縮することができ、エレベーターの運転効率を向上させることができる。
【図面の簡単な説明】
【図１】  操作盤の平面図である。
【図２】  実施の形態１の「開」操作ボタンの平面図である。
【図３】  実施の形態１の「開」操作ボタンの断面図である。
【図４】  実施の形態１の「閉」操作ボタンの平面図である。
【図５】  実施の形態２の「開」操作ボタンの平面図である。
【図６】  実施の形態２の「開」操作ボタンの断面図である。
【図７】  実施の形態２の「閉」操作ボタンの平面図である。
【図８】  １階を示す「階」操作ボタンの平面図である。
【図９】  １階を示す「階」操作ボタンの断面図である。
【図１０】  １０階を示す「階」操作ボタンの平面図である。
【図１１】  ２０階を示す「階」操作ボタンの平面図である。
【符号の説明】
１１  操作盤、１２  「開」操作ボタン、１３  「閉」操作ボタン、１４、１５、１６  「階」操作ボタン、１２１  表示面部材、１２２  基板、１２３、１２３Ａ〜１２３Ｇ  シンボル。
【図１】
0004381633.tif 000002
【図２】
0004381633.tif 000003
【図３】
0004381633.tif 000004
【図４】
0004381633.tif 000005
【図５】
0004381633.tif 000006
【図６】
0004381633.tif 000007
【図７】
0004381633.tif 000008
【図８】
0004381633.tif 000009
【図９】
0004381633.tif 000010
【図１０】
0004381633.tif 000011
【図１１】
0004381633.tif 000012